(57)【要約】【課題】  筐体の前面および背面に液晶ディスプレイを有する液晶表示装置において、１つの液晶表示素子により両面表示を行なうことができ、筐体を軽薄化することのできる液晶表示素子を提供すること。【解決手段】  液晶表示素子１の両面１ａ，１ｂに、他の透明基板１４上に、ＥＬ発光層１７およびこのＥＬ発光層１７に電圧を印加する透明電極１６，１８からなる発光部１５が形成された光源ユニット１３をそれぞれ配設する。【選択図】      図１
2005275298.tif 000002
【特許請求の範囲】
【請求項１】
対向する１対の透明基板の間に液晶層が封入された液晶表示素子において、
前記液晶表示素子の両面側に、他の透明基板上に、ＥＬ発光層およびこのＥＬ発光層に電圧を印加する透明電極からなる発光部が形成された光源ユニットがそれぞれ配設されていることを特徴とする液晶表示素子。
【請求項２】
対向する１対の透明基板の間に液晶層が封入された液晶表示素子において、
前記液晶層と前記各透明基板との間に、ＥＬ発光層および透明電極からなる発光部がそれぞれ配設されていることを特徴とする液晶表示素子。
【請求項３】
前記液晶層と前記各発光部との間に偏光層が配設されている請求項２に記載の液晶表示素子。
【発明の詳細な説明】
【技術分野】
【０００１】
本発明は液晶表示素子に係り、特に、両面表示が可能な液晶表示素子に関する。
【背景技術】
【０００２】
近年、携帯電話には折畳み式のものが多く普及しており、このような折畳み式の携帯電話は、一方の筐体に、折畳み時の内面（前面）に液晶表示素子からなるメインディスプレイが配設されるとともに、背面に液晶表示素子からなるサブディスプレイが配設されて構成されている。
【０００３】
このような折畳み式の携帯電話の一例としては、第１の筐体と第２の筐体とを有しており、前記各筐体は、ヒンジを介して連結され、このヒンジを軸として角変位自在に動くことで折り畳み可能に構成されている。
【０００４】
前記第１の筐体にはメイン液晶ディスプレイと、このメイン液晶ディスプレイの上部に第１のスピーカーとが配設されており、このメイン液晶ディスプレイおよび第１のスピーカは携帯電話が折り畳まれた時に内側に位置するように配置されている。
【０００５】
また、前記第１の筐体の背面には、カメラ部と、ライト部と、サブ液晶ディスプレイと、複数の操作ボタンとが配設されており、これらは前記携帯電話が折り畳まれた時に外側に位置するように配置される。
【０００６】
前記第２の筐体には、各種入力および機能の制御を行なう複数の操作ボタンと、送話マイク配設されており、この複数の操作ボタンと送話マイクとは携帯電話が折り畳まれた時に内側に位置するように配置されている。
【０００７】
また、前記第２の筐体の背面には、アンテナ部と、上下可能なヘリカル部と、バッテリーを格納するバッテリー部と、着信音を鳴らす第２のスピーカーとが配設されており、これらは前記携帯電話が折り畳まれた時に外側に位置するように配置されている（例えば、特許文献１参照）。
【０００８】
【特許文献１】特開２００４−０３２０２４号公報
【発明の開示】
【発明が解決しようとする課題】
【０００９】
しかしながら、前述したような従来の折畳み式携帯電話は、１つの筐体の前面と背面とにそれぞれ液晶表示素子を配設するとともに、各液晶表示素子を発光させるための光源ユニットをそれぞれ設けていたため、筐体が厚くなるとともに重くなってしまい携帯電話の軽薄化の妨げとなっていた。
【００１０】
そこで、本発明は、筐体の前面および背面に液晶ディスプレイを有する液晶表示装置において、１つの液晶表示素子により両面表示を可能とするとともに、筐体を軽薄化することのできる液晶表示素子を提供することを目的とするものである。
【課題を解決するための手段】
【００１１】
前述した目的を達成するため本発明に係る液晶表示素子の特徴は、対向する１対の透明基板の間に液晶層が封入された液晶表示素子において、前記液晶表示素子の両面側に、他の透明基板上に、ＥＬ発光層およびこのＥＬ発光層に電圧を印加する透明電極からなる発光部が形成された光源ユニットがそれぞれ配設されている点にある。
【００１２】
また、本発明に係る液晶表示素子の他の特徴は、対向する１対の透明基板の間に液晶層が封入された液晶表示素子において、前記液晶層と前記各透明基板との間に、ＥＬ発光層および透明電極からなる発光部がそれぞれ配設されており、さらに、前記液晶層と前記各発光部との間に偏光層が配設されている点にある。
【発明の効果】
【００１３】
本発明の液晶表示素子によれば、両面表示が可能となるため、従来の折畳み式携帯電話のように、筐体の内面（前面）と背面とにそれぞれ液晶表示素子を配設する必要がなくなり、携帯電話を軽薄化することができる。
【発明を実施するための最良の形態】
【００１４】
以下、図面を用いて本発明の液晶表示素子の実施形態について説明する。
【００１５】
図１は本発明に係る液晶表示素子の第１実施形態を示す縦断面図、図２は本発明に係る液晶表示素子の第２実施形態を示す縦断面図である。
【００１６】
本第１実施形態の液晶表示素子１は、図１に示すように、液晶表示素子１の両面１ａ，１ｂ側にそれぞれ光源ユニット１３が配設されている。
【００１７】
前記液晶表示素子１は、対向する一対の透明電極基板２，３を有しており、各透明電極基板２，３の対向面にスペーサ（図示せず）が散布されるとともに、導電性ビーズと導電性の充填材を混入した導電性接続材を混合したシール材（図示せず）を介して対向配置され、前記各透明電極基板２，３と前記シール材とからなる空間に液晶１２が封入されている。
【００１８】
前記透明電極基板２には、ガラスやプラスチック等からなる透明基板４上にＩＴＯからなる透明導電膜が積層され、この透明導電膜をフォトリソ法によりストライプ状にパターニングした透明電極５が形成されている。
【００１９】
そして、前記透明電極５上に絶縁層（図示せず）を積層し、さらに、この絶縁層上にポリイミドを積層して、このポリイミドに対してラビングにより所定の配向処理を行なって配向膜６が形成されている。
【００２０】
さらに、前記透明基板４の背面（前記各透明電極基板２，３の非対向面）には偏光板７が配設されている。
【００２１】
前記透明電極基板３は、ガラスやプラスチック等からなる透明基板８上にＩＴＯからなる透明導電膜が積層され、この透明導電膜をフォトリソ法により前記透明電極基板２の透明電極５と直交するストライプ状にパターニングした透明電極９が形成されている。
【００２２】
そして、前記透明電極９上に絶縁層（図示せず）を積層し、さらに、この絶縁層上にポリイミドを積層して、このポリイミドに対してラビングにより所定の配向処理を行なって配向膜１０が形成されている。
【００２３】
さらに、前記透明基板８の背面（前記各透明電極基板２，３の非対向面）には偏光板１１が配設されている。
【００２４】
前記各光源ユニット１３は、ガラスやプラスチック等からなる透明基板１４上に発光部１５が形成されている。
【００２５】
前記発光部１５は、前記透明基板１４上に光源としてのＥＬ発光層１７に電圧を印加するＩＴＯからなる一方の透明電極１６が形成され、この透明電極１６上に絶縁層（図示せず）を介して前記ＥＬ発光層１７が形成されている。さらに、前記ＥＬ発光層１７上に、絶縁層（図示せず）を介して前記ＥＬ発光層１７に電圧を印加するＩＴＯからなる他方の透明電極１８が形成されて構成されている。なお、前記各透明電極１６，１８は、一方が陰極で他方が陽極となっている。また、本実施形態のＥＬ発光層１６は発光体からなる半導体薄膜で形成する（薄膜型ＥＬ発光層）ものであり、発光体の粉末をバインダーに分散させて塗布して形成する分散型ＥＬ発光層は透明にならないため使用しないものとする。
【００２６】
そして、前記各光源ユニット１３は、それぞれ透明電極１８側が前記液晶表示素子１の各面１ａ，１ｂに貼り付けられている。
【００２７】
このような構成からなる本第１実施形態の液晶表示素子１によれば、各面１ａ，１ｂに貼り付けられた各光源ユニット１３が透明に構成されているので、どちらか一方の発光部１７を発光させるように切換制御することにより両面表示が可能となる。このため、折畳み式携帯電話のように、一方の筐体の内面（前面）と背面にそれぞれ液晶表示素子を配設するとともに、各液晶表示素子を発光させるための光源ユニットをそれぞれ設けることなく、本第１実施形態の液晶表示素子１を配設することにより、筐体の内面（前面）および背面に液晶ディスプレイを設けることができる。さらに、１つの液晶表示素子１により両面表示を行なうことができるため、筐体の薄型化および軽量化を図ることができ、折畳み式携帯電話といった一方の筐体の内面（前面）および背面に液晶ディスプレイを有する液晶表示装置の軽薄化を図ることができる。
【００２８】
つぎに、本第２実施形態の液晶表示素子２１は、図２に示すように、対向する一対の透明電極基板２２，２３を有しており、各透明電極基板２２，２３の対向面にスペーサ（図示せず）が散布されるとともに、導電性ビーズと導電性の充填材を混入した導電性接続材を混合したシール材（図示せず）を介して対向配置され、前記各透明電極基板２２，２３と前記シール材とからなる空間に液晶３６が封入されている。
【００２９】
前記透明電極基板２２は、ガラスやプラスチック等からなる透明基板２４上に発光部２５が形成され、この発光部２５上に塗布型の偏光層２９が形成されている。
【００３０】
前記発光部２５は、ＥＬ発光層２６が中央に位置し、このＥＬ発光層２６の両面にそれぞれ絶縁層（図示せず）を介してＩＴＯからなる透明電極２７，２８が配設されて構成されている。なお、前記各透明電極２７，２８は、一方が陰極で他方が陽極となっている。
【００３１】
そして、前記偏光層２９上にＩＴＯからなる透明導電膜が積層され、この透明導電膜をフォトリソ法によりストライプ状にパターニングした透明電極３０が形成され、さらに、前記透明電極３０上には絶縁層（図示せず）を介してポリイミドが積層され、このポリイミドに対してラビングにより所定の配向処理を行なって配向膜３１が形成されている。
【００３２】
前記透明電極基板２３は、ガラスやプラスチック等からなる透明基板３２上に発光部２５が形成され、この発光部２５上に塗布型の偏光層３３が形成されている。なお、前記透明電極基板２３の発光部２５は、前記透明電極基板２２の発光部２５と同様の構成であるので、ここでの説明は省略するとともに同一の符号を用いて示す。
【００３３】
そして、前記偏光層３３上にＩＴＯからなる透明導電膜が積層され、この透明導電膜をフォトリソ法により前記透明電極基板２２の透明電極３０と直交するストライプ状にパターニングした透明電極３４が形成され、さらに、前記透明電極３４上には絶縁層（図示せず）を介してポリイミドが積層され、このポリイミドに対してラビングにより所定の配向処理を行なって配向膜３５が形成されている。
【００３４】
このような構成からなる本第２実施形態の液晶表示素子２１によれば、本第１実施形態の液晶表示素子１と同様に、どちらか一方の発光部２５を発光させるように切換制御することにより両面表示が可能となる。このため、折畳み式携帯電話のように、一方の筐体の内面（前面）と背面にそれぞれ液晶表示素子を配設するとともに、各液晶表示素子を発光させるための光源ユニットをそれぞれ設けることなく、本第２実施形態の液晶表示素子２１を配設することにより、筐体の内面（前面）および背面に液晶ディスプレイを設けることができる。さらに、１つの液晶表示素子２１により両面表示を行なうことができるため、筐体の軽薄化を図ることができ、折畳み式携帯電話といった一方の筐体の内面（前面）および背面に液晶ディスプレイを有する液晶表示装置の軽薄化を図ることができる。
【００３５】
さらに、本第２実施形態の液晶表示素子２１は各発光部２５が各透明基板２４，３２内に形成されているため、本第１実施形態の液晶表示素子１のように各光源ユニット１３を構成する透明基板１６をそれぞれ必要とせず、本第１実施形態の液晶表示素子１よりもより軽薄化を図ることができ、より折畳み式携帯電話といった一方の筐体の内面（前面）および背面に液晶ディスプレイを有する液晶表示装置の軽薄化を図ることができる。
【００３６】
なお、本発明は、前述した実施の形態に限定されるものではなく、必要に応じて種々の変更が可能である。ＥＬ発光層としては無機ＥＬであってもよいし、有機ＥＬであってもよい。
【図面の簡単な説明】
【００３７】
【図１】本発明に係る液晶表示素子の第１実施形態を示す縦断面図
【図２】本発明に係る液晶表示素子の第２実施形態を示す縦断面図
【符号の説明】
【００３８】
１  液晶表示素子
２  透明電極基板
３  透明電極基板
１２  液晶
１３  光源ユニット
１４  透明基板
１５  発光部
１７  ＥＬ発光層
２１  液晶表示素子
２２  透明電極基板
２３  透明電極基板
２５  発光部
２６  ＥＬ発光層
【図１】
2005275298.tif 000003
【図２】
2005275298.tif 000004